(57)【要約】【課題】歯ブラシに箸を設置したツーインワン構造で、携帯に便利な複合型歯ブラシを提供する。【解決手段】歯ブラシ１０及び箸２０を備える複合型歯ブラシであって、前記歯ブラシ１０は端面に収納空間１２を有し、該収納空間１２は前記歯ブラシ１０の軸方向に沿って設けられ、前記箸２０は少なくとも一方の端の形状が前記収納空間１２と一致し、該箸２０が該収納空間１２に挿入され固定されることによって、前記歯ブラシ１０および前記箸２０がツーインワン構造になることを特徴とする【選択図】図１
0003126121.tif 000002
【実用新案登録請求の範囲】
【請求項１】
歯ブラシおよび箸を備える複合型歯ブラシであって、
前記歯ブラシは、端面に収納空間を有し、該収納空間は、前記歯ブラシの軸方向に沿って設けられ、
前記箸は、少なくとも一方の端の形状が前記収納空間と一致し、該端が該収納空間に挿入され、固定されることにより前記歯ブラシおよび前記箸がツーインワン構造になることを特徴とする複合型歯ブラシ。
【請求項２】
前記歯ブラシは、グリップを有し、前記収納空間は、軸方向に沿って徐々に狭くなり、一定の奥行きを有し、
前記箸は、頭部および箸先を有し、前記頭部から前記箸先にかけて徐々に細くなり、形状が前記収納空間と一致し、前記箸の前記頭部および前記箸先は、前記収納空間に挿入され、該収納空間により固定されることを特徴とする請求項１に記載の複合型歯ブラシ。
【請求項３】
前記歯ブラシは、ヘッドを有し、前記収納空間は、軸方向に沿って徐々に狭くなり、
前記箸は、前記頭部および前記箸先を有し、前記頭部から前記箸先にかけて徐々に細くなり、前記箸の前記箸先は、前記収納空間に挿入されることを特徴とする請求項１に記載の複合型歯ブラシ。
【考案の詳細な説明】
【技術分野】
【０００１】
本考案は、複合型歯ブラシに関し、特に歯ブラシに箸を設置した、多機能で携帯に便利な複合型歯ブラシに関する。
【背景技術】
【０００２】
箸の使用は、中国の伝統文化である。使い捨て箸は、衛生さ、価格の安さ、洗う必要のない手軽さなど様々な利点があり、大多数のサラリーマンの需要を満たしている。ここ数年、使い捨て箸は、環境保護団体により使用廃止を訴えられているが、満足した結果が得られなかった。最近になって、使い捨て箸に付着している二酸化硫黄が喘息を引き起こし、人体に悪影響を与えるとの報道に接するにあたって、ようやく一般大衆の注意と関心が得られるようになった。資源の浪費を減らし、衛生や安全を確保するため、多くの外食者ができるだけ自分の箸を携帯して食事をするようになった。
【０００３】
実際の使用において、衛生上の問題を考慮すると、箸をケースに収納して携帯することが良いと思われる。ケースを効果的に使用し、かつ外出時の食後の口腔衛生のため、箸以外にケースの中に歯ブラシを収納してもよい。しかし、箸および歯ブラシを同時にケースに収納する方法は、サラリーマンにとって、スペースをとり、煩わしく感じてしまい、携帯する魅力に欠けるため、一般的に受け入れられていない。理想的でない面が多々あったのである。そのため従来技術では、改良された箸および歯ブラシを同時に収納する方法が求められていた。
【特許文献１】実用新案登録第３０７９９８５号公報
【考案の開示】
【考案が解決しようとする課題】
【０００４】
本考案の目的は、歯ブラシに箸を設置したツーインワン構造で、携帯に便利な複合型歯ブラシを提供することにある。
【課題を解決するための手段】
【０００５】
上記の目的を解決するために、本考案は、下記の特徴を有する複合型歯ブラシを提供する。
１．請求項１に記載の複合型歯ブラシは、歯ブラシおよび箸を備える複合型歯ブラシであって、前記歯ブラシは、端面に収納空間を有し、該収納空間は、前記歯ブラシの軸方向に沿って設けられ、前記箸は、少なくとも一方の端の形状が前記収納空間と一致し、該端が該収納空間に挿入され、固定されることにより前記歯ブラシおよび前記箸がツーインワン構造になることを特徴とする。
２．請求項２に記載の複合型歯ブラシは、請求項１の場合において、前記歯ブラシは、グリップを有し、前記収納空間は、軸方向に沿って徐々に狭くなり、一定の奥行きを有し、
前記箸は、頭部および箸先を有し、前記頭部から前記箸先にかけて徐々に細くなり、形状が前記収納空間と一致し、前記箸の前記頭部および前記箸先は、前記収納空間に挿入され、該収納空間により固定されることを特徴とする。
３．請求項３に記載の複合型歯ブラシは、請求項１の場合において、前記歯ブラシは、ヘッドを有し、前記収納空間は、軸方向に沿って徐々に狭くなり、前記箸は、前記頭部および前記箸先を有し、前記頭部から前記箸先にかけて徐々に細くなり、前記箸の前記箸先は、前記収納空間に挿入されることを特徴とする。
【考案の効果】
【０００６】
本考案の複合型歯ブラシは、歯ブラシのグリップに設けられた収納空間に箸を着脱させる構造である。これにより、ツーインワン構造が実現した。スペースをとらないうえに、携帯に便利であるという利点を有し、ケース使用の不便さを解消することができる。箸は、食事時に、歯ブラシの収納空間から取り出すだけで、すぐ食事に使用でき、歯ブラシは、口腔清掃の機能を有する。本考案は、箸および歯ブラシの２つの機能を持つに至り、外出時の食事の道具として、従来技術において箸および歯ブラシ一つにして携帯できなかった不便さを解消した。
【考案を実施するための最良の形態】
【０００７】
以下、本考案の実施形態を図面に基づいて説明する。図１〜２は、本考案の第１の好適な実施形態による複合型歯ブラシを示す斜視図である。本考案の複合型歯ブラシは、歯ブラシ１０のグリップ１１の端面に収納空間１２を有し、この収納空間１２は歯ブラシ１０の軸方向に沿って設けられ、一定の奥行きを有するが、歯ブラシ１０の他方の端には貫通していない。また、収納空間１２は、軸方向に沿って徐々に狭くなる。
【０００８】
図３は、本考案の第１の好適な実施形態による複合型歯ブラシを示す断面図である。収納空間１２は、２つの収納空間１２が隣り合わせになった構造で、２つの収納空間１２を一つにしている。収納空間１２は、好適な可塑性を有する。
【０００９】
箸２０は、頭部２１から箸先２２にかけて徐々に細くなり、その形状は、収納空間１２と一致するので、簡単に箸２０の箸先２２および頭部２１を収納空間１２に挿入することができる。箸２０が収納空間１２に固定されることにより、ツーインワン構造が形成される。また、箸が簡単に収納空間１２から取り出せるように、箸２０の頭部２１は、グリップ１１の端面から少し突出していた方がよい。
【００１０】
図４は、本考案の第２の好適な実施形態による複合型歯ブラシを示す断面図である。楕円形の収納空間１２は、図１〜３に示される収納空間１２に替えてもよく、箸２０を固定する機能さえあれば、収納空間１２の形状はいかなる形状であろうとかまわない。
【００１１】
図５は、本考案の第３の好適な実施形態による複合型歯ブラシを示す斜視図である。箸２０の箸先２２は、収納空間１２内に収納され、箸２０の頭部２１は、利用者が持ちやすいように、歯ブラシ１０のグリップ１１に結合されている。図６は、本考案の第４の好適な実施形態による複合型歯ブラシを示す斜視図である。歯ブラシ１０のグリップ１１の上部に蓋１３を設置し、収納空間１２を閉鎖する。収納空間１２は、箸２０を完全に収納し、蓋１３により箸２０を内部に収める。利用者は、蓋１３を開けるだけで、箸２０が見られ、簡単に箸２０を収納空間１２から取り出すことができる。
【００１２】
図７は、本考案の第５の好適な実施形態による複合型歯ブラシを示す側面図である。収納空間１２は、ヘッド１００の軸方向に沿って設けられている。収納空間１２の幅は、一方の端から他方の端にかけて徐々に狭くなり、収納空間１２は好適な可塑性を有する。箸２０の形状は、頭部２１から箸先２２にかけて徐々に細くなり、箸先２２の形状が収納空間１２の形状と一致している。それで、簡単に箸２０の箸先２２を収納空間１２に挿入し、収納空間１２により固定することができる。利用者は、箸２０の頭部２１を直接持って使用することにより、ツーインワン構造が形成される。
【図面の簡単な説明】
【００１３】
【図１】本考案の第１の好適な実施形態による複合型歯ブラシを示す分解斜視図である。
【図２】本考案の第１の好適な実施形態による複合型歯ブラシを示す斜視図である。
【図３】本考案の第１の好適な実施形態による複合型歯ブラシを示す断面図である。
【図４】本考案の第２の好適な実施形態による複合型歯ブラシを示す断面図である。
【図５】本考案の第３の好適な実施形態による複合型歯ブラシを示す斜視図である。
【図６】本考案の第４の好適な実施形態による複合型歯ブラシを示す斜視図である。
【図７】本考案の第５の好適な実施形態による複合型歯ブラシを示す側面図である。
【符号の説明】
【００１４】
１０    歯ブラシ
１００  ヘッド
１１    グリップ
１２    収納空間
１３    蓋
２０    箸
２１    頭部
２２    箸先
【図１】
0003126121.tif 000003
【図２】
0003126121.tif 000004
【図３】
0003126121.tif 000005
【図４】
0003126121.tif 000006
【図５】
0003126121.tif 000007
【図６】
0003126121.tif 000008
【図７】
0003126121.tif 000009